(57)【要約】【課題】  前方中央チャンネルの音が中抜けするのを防止するとともに、各チャンネルの分離度も確保したマイクロホンを提供する。【解決手段】  前方左チャンネルＦＬ、前方中央チャンネルＦＣ、前方右チャンネルＦＲ、後方左チャンネルＲＬ、後方右チャンネルＲＲの５チャンネルに対応した指向性マイクロホンユニット１１〜１５を設け、前方中央チャンネル（ＦＣ）の指向性マイクロホンユニット１５の出力を２つに均等音量で分離し、それら信号を、加算器２５Ｌ、２５Ｒによって、前記指向性マイクロホンユニット１１、１２の各出力信号に加算する。【選択図】 図２
2005328403.tif 000002
【特許請求の範囲】
【請求項１】
前方左チャンネル、前方中央チャンネル、前方右チャンネル、後方左チャンネル、後方右チャンネルの５チャンネルに対応した指向性マイクロホンユニットと、
前記５チャンネルに対応した指向性マイクロホンユニットの出力信号から４チャンネル音信号を作成して出力する４チャンネル信号回路と
を備えたことを特徴とするマイクロホン。
【請求項２】
前記４チャンネル信号回路は、前記前方中央チャンネルの指向性マイクロホンユニットの出力信号を均等レベルで分配して前記前方左チャンネルおよび前方右チャンネルの指向性マイクロホンユニットの出力信号に加算する回路を有していることを特徴とする請求項１に記載のマイクロホン。
【発明の詳細な説明】
【技術分野】
【０００１】
本発明は、４チャンネル収録において、前方中央の音源を強調して収録したい場合、または、収録された４チャンネルのうち前方左、右チャンネルより前方中央チャンネルを作り出し、マルチチャンネル音源を作り出したい目的で使用される４チャンネルマイクロホンに関する。
【背景技術】
【０００２】
従来、前方左チャンネル、前方右チャンネル、後方左チャンネル、後方右チャンネルの４チャンネルに対応した音信号を収録する４チャンネルマイクロホンにおいては、例えば下記特許文献１に記載されているように、４チャンネルのサラウンド音声信号を得ることが提案されている。
【特許文献１】特開平５−１９１８８７号公報
【発明の開示】
【発明が解決しようとする課題】
【０００３】
従来の４チャンネルマイクロホンは、各チャンネルの分離度を重視すると、マイクロホンから離れた音源に対する各チャンネルの中間に収音レベルの低い中抜け状態がおこる。また逆に音の中抜けを防止すると分離度が落ちてしまう。
【０００４】
また、４チャンネルで収録された音源よりマルチチャンネル用に前方中央の音を抽出するには、仮想の前方中央マイクロホンユニットで収録されたことを想定して抽出するか、又は４チャンネルマイクロホンとは別個に用意した実際の前方中央マイクロホンユニットで収録しなければならない。
【０００５】
本発明は上記の点に鑑みてなされたものでその目的は、前方中央チャンネルの音が中抜けするのを防止するとともに、各チャンネルの分離度も確保し、且つマルチチャンネル用に前方中央チャンネルの音信号を容易に抽出することができるマイクロホンを提供することにある。
【課題を解決するための手段】
【０００６】
上記課題を解決するための本発明のマイクロホンは、前方左チャンネル、前方中央チャンネル、前方右チャンネル、後方左チャンネル、後方右チャンネルの５チャンネルに対応した指向性マイクロホンユニットと、前記５チャンネルに対応した指向性マイクロホンユニットの出力信号から４チャンネル音信号を作成して出力する４チャンネル信号回路とを備えたことを特徴としている。
【０００７】
また、前記４チャンネル信号回路は、前記前方中央チャンネルの指向性マイクロホンユニットの出力信号を均等レベルで分配して前記前方左チャンネルおよび前方右チャンネルの指向性マイクロホンユニットの出力信号に加算する回路を有することを特徴としている。
【０００８】
上記の構成において、前記５チャンネルに対応したマイクロホンユニットは各々指向性マイクロホンユニットを用いているので、各チャンネルの分離度は十分に確保される。
【０００９】
また、前記前方中央チャンネルの指向性マイクロホンユニットの出力信号を均等レベルで分配して前記前方左チャンネルおよび前方右チャンネルの指向性マイクロホンユニットの出力信号に加算しているので、前方中央の音の中抜けが防止される。
【００１０】
また、本発明のマイクロホンで収録し出力された前方左、右チャンネルの音信号から同相成分を抽出することにより、マルチチャンネル用の前方中央の音が容易に抽出される。
【発明の効果】
【００１１】
（１）本発明によれば、各チャンネルの分離度を高めた収音が行えるとともに、前方中央の音が強調されて音の中抜けが防止される。このため４チャンネル音響機器に接続して再生した場合、違和感のない自然な再生音が得られる。
【００１２】
また、本発明のマイクロホンで収録した前方左、右チャンネルの音信号から、極めて容易にマルチチャンネル用の前方中央チャンネルの音を抽出することができる。
【発明を実施するための最良の形態】
【００１３】
以下、図面を参照しながら本発明の実施の形態について説明する。図１は本発明を映像、音声の収録が行えるビデオカムコーダーに適用した実施形態例の外観を示している。図１において、ビデオカムコーダーの本体１０には、５つの指向性マイクロホンユニット１１〜１５を備えた４チャンネルマイクロホン２０が取り付けられている。
【００１４】
指向性マイクロホンユニット１１は、カメラの前方正面を０度としたとき、前方左４５度付近に向けて配置され、前方左チャンネルの音源（ＦＬ）を収録する。
【００１５】
指向性マイクロホンユニット１２は、カメラの前方右４５度付近に向けて配置され、前方右チャンネルの音源（ＦＲ）を収録する。
【００１６】
指向性マイクロホンユニット１３は、カメラの前方から左に１３５度付近に向けて配置され、後方左チャンネルの音源（ＲＬ）を収録する。
【００１７】
指向性マイクロホンユニット１４は、カメラの前方から右に１３５度付近に向けて配置され、後方右チャンネルの音源（ＲＲ）を収録する。
【００１８】
指向性マイクロホンユニット１５は、カメラの前方０度に向けて配置され、前方中央チャンネルの音源（ＦＣ）を収録する。
【００１９】
前記指向性マイクロホンユニット１１〜１５で収録された音信号は、図２に示す４チャンネル信号回路によって４チャンネル音信号に変換されて出力される。
【００２０】
図２は前記４チャンネルマイクロホン２０の電気的構成（４チャンネル信号回路）および指向性マイクロホンユニット１１〜１５の平面配置を表している。図２において図１と同一部分は同一符号をもって示している。
【００２１】
２５Ｌは前方左チャンネル（ＦＬ）および前方中央チャンネル（ＦＣ）の指向性マイクロホンユニット１１、１５の出力を加算する加算器であり、２５Ｒは前方右チャンネル（ＦＲ）および前方中央チャンネル（ＦＣ）の指向性マイクロホンユニット１２、１５の出力を加算する加算器であり、これら加算器２５Ｌ、２５Ｒには、前方中央チャンネル（ＦＣ）の指向性マイクロホンユニット１５の出力を２つに均等音量で分離した信号が各々加算されるように構成されている。
【００２２】
前記加算器２５Ｌの出力信号は、前方左チャンネルの音信号ＦＬ１として出力端子２１Oから出力される。前記加算器２５Ｒの出力信号は、前方右チャンネルの音信号ＦＲ１として出力端子２２Oから出力される。
【００２３】
前記後方左チャンネル（ＲＬ）の指向性マイクロホンユニット１３で収録された音声は、後方左チャンネルの音信号ＲＬ１として出力端子２３Oから出力される。
【００２４】
前記後方右チャンネル（ＲＲ）の指向性マイクロホンユニット１４で収録された音声は、後方右チャンネルの音信号ＲＲ１として出力端子２４Oから出力される。
【００２５】
上記のように構成されたマイクロホンにおいて、前記５チャンネルの各マイクロホンユニット１１〜１５は指向性マイクロホンユニットで構成されているので、各チャンネルの分離度は十分確保される。
【００２６】
また前方中央チャンネル（ＦＣ）の指向性マイクロホンユニット１５の出力信号を均等レベルで分配して、前方左チャンネル（ＦＬ）および前方右チャンネル（ＦＲ）の指向性マイクロホンユニット１１、１２の出力信号に加算しているので、前方中央の音の中抜けが防止される。
【００２７】
このため４チャンネル音響機器（図示省略）に接続して再生した場合、違和感のない自然な再生音となる。
【００２８】
またマルチチャンネル用に前方中央チャンネル（ＦＣ）の音を抽出する際も、前方左、右チャンネルの音信号ＦＬ１、ＦＲ１から同相成分を抽出すれば、元の前方中央チャンネルの指向性マイクロホンユニット１５で収録された音を抽出することができる。
【００２９】
さらに、前方中央チャンネル（ＦＣ）の指向性マイクロホンユニット１５として、音響管を使った狭指向性マイクロホンユニットを使用することにより、前方左、右チャンネルＦＬ、ＦＲとの分離度をより一層高めることができる。
【図面の簡単な説明】
【００３０】
【図１】本発明をビデオカムコーダーに適用した実施形態例の斜視図。
【図２】本発明の一実施形態例の４チャンネルマイクロホン２０の構成図。
【符号の説明】
【００３１】
１０…ビデオカムコーダーの本体、１１〜１５…指向性マイクロホンユニット、２０…４チャンネルマイクロホン、２１O〜２４O…出力端子、２５Ｌ，２５Ｒ…加算器。
【図１】
2005328403.tif 000003
【図２】
2005328403.tif 000004